(57)【特許請求の範囲】
【請求項１】
照明装置を用いた撮影が可能な撮像装置であって、
被写体輝度を取得する取得手段と、
前記取得手段により取得された被写体輝度に基づいて露出制御値を演算する演算手段と、
前記演算手段により演算された露出制御値を用いて露出制御を行う露出制御手段と、
前記演算手段により演算された露出制御値を露出制御に用いる露出制御値として固定した露出固定状態にする露出固定手段と、有し、
前記露出固定手段は、前記露出固定状態において使用者による前記照明装置の点灯モードを変更させる操作に応じて前記照明装置の点灯状態が変更されるときは前記露出固定状態を解除し、前記露出固定状態において使用者による前記照明装置の点灯モードを変更させる操作に応じて前記照明装置の点灯状態が変更されないときは前記露出固定状態を解除しないことを特徴とする撮像装置。
【請求項２】
前記被写体輝度に基づいて前記照明装置の点灯状態を変更する点灯制御手段を有し、
前記露出固定手段は、前記露出固定状態において使用者により前記照明装置の点灯モードを前記点灯制御手段によって前記照明装置の点灯状態を変更するモードから他のモードに変更させる操作が行われた場合、当該操作が行われる前の前記照明装置の点灯状態と当該操作が行われた後のモードに応じて、前記露出固定状態を解除するか否かを決定することを特徴とする請求項１に記載の撮像装置。
【請求項３】
前記撮像装置は動画記録可能であって、
前記露出固定状態において固定されている露出制御値を再設定させる操作を受け付ける操作手段を有し、
動画記録中に前記操作手段への前記操作が行われた場合、
前記露出固定手段は、前記露出固定状態において固定する露出制御値を、前記取得手段により新たに取得された被写体輝度に基づいて演算された露出制御値に再設定し、
前記点灯制御手段は、前記被写体輝度に基づいて前記照明装置の点灯状態を変更しないことを特徴とする請求項２に記載の撮像装置。
【請求項４】
照明装置と撮像装置を含むカメラシステムであって、
被写体輝度を取得する取得手段と、
前記取得手段により取得された被写体輝度に基づいて露出制御値を演算する演算手段と、
前記演算手段により演算された露出制御値を用いて露出制御を行う露出制御手段と、
前記演算手段により演算された露出制御値を露出制御に用いる露出制御値として固定した露出固定状態にする露出固定手段と、有し、
前記露出固定手段は、前記露出固定状態において使用者による前記照明装置の点灯モードを変更させる操作に応じて前記照明装置の点灯状態が変更されるときは前記露出固定状態を解除し、前記露出固定状態において使用者による前記照明装置の点灯モードを変更させる操作に応じて前記照明装置の点灯状態が変更されないときは前記露出固定状態を解除しないことを特徴とするカメラシステム。
【発明の詳細な説明】
【技術分野】
【０００１】
本発明は、撮像装置と照明装置とを含むカメラシステムに関し、特に、照明装置の点灯制御に関するものである。
【背景技術】
【０００２】
従来、ビデオカメラなどの動画記録可能な撮像装置において、被写体が暗い場合に補助光としてビデオライトを点灯させて撮影を行うものがある。例えば、特許文献１では、ビデオカメラにビデオライトが取り付けられたビデオカメラシステムにおいて、ビデオカメラがライト制御情報をビデオライトに出力し、ビデオライトはそのライト制御情報に基づいて点灯制御を行うという技術が開示されている。また、特許文献１では、ビデオカメラで撮影する被写体の露出演算を行い、演算結果に基づいてビデオライトの発光量を制御することで、撮影時の露出を適正にすることが開示されている。
【先行技術文献】
【特許文献】
【０００３】
【特許文献１】特開平１１−２７１８５０号公報
【発明の概要】
【発明が解決しようとする課題】
【０００４】
しかしながら、上述の特許文献１に開示された技術では、露出制御に用いる露出制御値を固定する機能、いわゆるＡＥロック機能を用いて撮影を行う場合に撮影者が意図した撮影ができない場合が生じる。
【０００５】
例えば、図７（ａ）のような被写体Ａを撮影画面の中心にした状態でＡＥロック釦が押下されたとする。ＡＥロック釦が押下された場合には、撮影画面の中心の被写体に対して適正露出となるように、撮影画面の中心付近の被写体輝度に対する重み付けを大きくする。そのため、図７（ａ）では比較的明るい被写体Ａの輝度に重み付けを大きくするため、ビデオライトの点灯は不要と判断される。また、撮影画面の中心の被写体に対して適正露出となるような露出制御値が演算され、ＡＥロック中は演算された露出制御値に固定される。
【０００６】
その後、フレーミングの変更を行って被写体Ａよりも暗い背景が撮影画面の中心になると、暗い背景の輝度に重み付けを大きくするため、ビデオライトを点灯させる必要があると判断され、ビデオライトを点灯させることになる。一方、このときの露出制御値はＡＥロックにより固定されているので図７（ａ）と同様である。その結果、図７（ｂ）のように露出制御値が変わらずにビデオライトが消灯から点灯に変わることで、撮影画面全体が明るくなり、ＡＥロックを行った際に適正露出であった被写体Ａが露出オーバーとなってしまう。
【０００７】
また、逆の場合も同様で、ＡＥロック状態にしたときはビデオライトが点灯であって、フレーミングの変更によりビデオライトの点灯が不要であると判断されると、ＡＥロックを行った際に適正露出であった被写体Ａが露出アンダーとなってしまう。
【０００８】
以上のように、被写体輝度に応じてビデオライトの点灯制御が行われるとＡＥロック機能を用いて撮影を行う場合に撮影者が意図した撮影ができなくなる。
【０００９】
そこで、本発明は、撮影者の意図を反映した撮影を行うための照明装置の点灯制御及び露出制御を行うことを目的とする。
【課題を解決するための手段】
【００１０】
上記目的を達成するために、本発明にかかる撮像装置は、照明装置を用いた撮影が可能な撮像装置であって、被写体輝度を取得する取得手段と、前記取得手段により取得された被写体輝度に基づいて露出制御値を演算する演算手段と、前記演算手段により演算された露出制御値を用いて露出制御を行う露出制御手段と、前記演算手段により演算された露出制御値を露出制御に用いる露出制御値として固定した露出固定状態にする露出固定手段と、有し、前記露出固定手段は、前記露出固定状態において使用者による前記照明装置の点灯モードを変更させる操作に応じて前記照明装置の点灯状態が変更されるときは前記露出固定状態を解除し、前記露出固定状態において使用者による前記照明装置の点灯モードを変更させる操作に応じて前記照明装置の点灯状態が変更されないときは前記露出固定状態を解除しないことを特徴とする。
【００１１】
また、上記目的を達成するために、本願発明にかかるカメラシステムは、照明装置と撮像装置を含むカメラシステムであって、被写体輝度を取得する取得手段と、前記取得手段により取得された被写体輝度に基づいて露出制御値を演算する演算手段と、前記演算手段により演算された露出制御値を用いて露出制御を行う露出制御手段と、前記演算手段により演算された露出制御値を露出制御に用いる露出制御値として固定した露出固定状態にする露出固定手段と、有し、前記露出固定手段は、前記露出固定状態において使用者による前記照明装置の点灯モードを変更させる操作に応じて前記照明装置の点灯状態が変更されるときは前記露出固定状態を解除し、前記露出固定状態において使用者による前記照明装置の点灯モードを変更させる操作に応じて前記照明装置の点灯状態が変更されないときは前記露出固定状態を解除しないことを特徴とする。
【発明の効果】
【００１２】
本発明によれば、撮影者の意図を反映した撮影を行うための照明装置の点灯制御及び露出制御を行うことができる。
【図面の簡単な説明】
【００１３】
【図１】本発明の実施形態にかかるカメラの構成を示すブロック図
【図２】本発明の実施形態にかかる撮影用ライトの構成を示すブロック図
【図３】本発明の第１の実施形態における露出制御処理のフローチャートを示す図
【図４】本発明の点灯制御を行った場合に得られる撮影画像を示す図
【図５】本発明の第２の実施形態における撮影用ライトの点灯制御処理のフローチャートを示す図
【図６】本発明の第３の実施形態における露出制御処理のフローチャートを示す図
【図７】従来の点灯制御を行った場合に得られる撮影画像を示す図
【発明を実施するための形態】
【００１４】
以下に、本発明の好ましい実施の形態を、添付の図面に基づいて詳細に説明する。
【００１５】
（第１の実施形態）
図１は、本発明の実施形態にかかる撮像装置であるカメラの構成を示すブロック図であり、本発明に関係するブロックが主に記載されている。図１において、１は撮影レンズ、２は撮影レンズ１を駆動させて自動焦点制御を行うためのＡＦ（オートフォーカス）駆動部である。ＡＦ駆動部２は、例えばＤＣモータやステッピングモータによって構成され、後述するＣＰＵ１３の制御によって撮影レンズ１のフォーカスレンズ位置を変化させることにより撮影画面内の所望する領域のピントを合わせる。
【００１６】
３は撮影レンズ１を駆動させて焦点距離制御を行うためのズーム駆動部である。ズーム駆動部３は、例えばＤＣモータやステッピングモータによって構成され、後述するＣＰＵ１３の制御によって撮影レンズ１の変倍レンズ位置を変化させることにより撮影レンズ１の焦点距離を変化させる。
【００１７】
４は後述する撮像素子６に入射する光量を調節する絞りであり、５は絞り４を駆動させる絞り駆動部である。絞り制御部５は後述するＣＰＵ１３によって算出された絞り駆動量に基づいて絞り４を駆動させて絞り値を変化させる。
【００１８】
６は撮影レンズ１を通過した被写体像を結像して光電変換する撮像素子、７は撮像素子６より得られた電気信号を画像データとして後述する記録部や演算回路に適したデータに変換して出力する撮像回路である。なお、ＣＰＵ１３が撮像素子６の電荷蓄積時間を制御することで、蓄積される電荷量を調節することができる。また、ＣＰＵ１３が撮像素子６や撮像回路７のゲインなどを制御することで撮影感度を調節することができる。８は撮像回路７より出力された画像データに基づいて、被写体の焦点状態や輝度などを取得する演算回路である。９は撮像回路７より出力された画像データを記録する記録部、１０は撮像回路７より出力された画像データに基づく画像を表示する表示部である。
【００１９】
１３はＣＰＵであり、上述した制御の他、上述した被写体輝度を重み付け演算した重み付け輝度に基づいて、絞り値、電荷蓄積時間、撮影感度といった露出制御値を演算し、演算した露出制御値に基づく自動露出制御を行う。また、上述の重み付け輝度に基づいて後述する撮影用ライトの点灯制御も行う。また、後述する操作部１１からの出力に基づいて、動画記録中であるか否か、ＡＥロック中であるか否かの判断も行う。
【００２０】
１１は操作部であり、動画記録の開始及び終了を指示するための動画スイッチ１４、ＡＥロック状態へと移行するように指示するためのＡＥロック釦１５などを含む。ＡＥロック釦１５が押下されると、ＣＰＵ１３はその時の被写体輝度に基づいて演算された露出制御値を記憶し、その値を露出制御値として固定するＡＥロック状態（露出固定状態）にする。このＡＥロック状態において撮影指示が行われた場合、固定されている露出制御値を用いて撮影を行うことになる。また、本実施形態では、ＡＥロック状態で更にＡＥロック釦１５が押下された場合には、直前のＡＥロック釦１５が押下されたタイミングの被写体輝度に基づいて演算された露出制御値を新たに記憶し、その値を露出制御値として固定する。すなわち、ＡＥロック釦１５が押下されるたびに固定される露出制御値が更新されることになる。
【００２１】
１２は通信端子であり、接続された撮影用ライトと通信を行う。通信端子１２を介して、ＣＰＵ１３から出力される点灯制御に関する情報が撮影用ライトに伝達されるとともに、撮影ライトから出力される後述するライト１６の点灯状態に関する情報がカメラに伝達される。
【００２２】
図２は、上述したカメラに接続される照明装置である撮影用ライトの構成を示すブロック図であり、本発明に関係するブロックが主に記載されている。
【００２３】
１６はＬＥＤなどを光源とするライト、１７はライト１６に供給される電流及び電圧を制御するための電流／電圧制御回路であり、ライト１６の点灯と消灯の切り換えを後述するライトＣＰＵ２１からの信号に従って行う。１８はカメラと通信を行うための通信端子である。
【００２４】
１９は操作部であり、撮影用ライトの制御モードを設定するための制御モード変更スイッチ２０を含む。２１はＣＰＵ（以下、ライトＣＰＵとする）であり、制御モード変更スイッチ２０で設定された制御モードに基づいてライト１６の制御を行う。本実施形態における撮影用ライトは、制御モード変更スイッチ２０により３つの制御モードが設定可能である。第１のモードは接続されたカメラからの指示に従ってライト１６の点灯制御を行う自動制御モード、第２の制御モードはライト１６を常時点灯させる常時点灯モード、第３の制御モードはライト１６を常時消灯させる常時消灯モードである。
【００２５】
次に、図３を用いて本実施形態における露出制御処理を説明する。なお、図３では、撮影用ライトの制御モードが自動制御モードに設定されている場合について説明する。また、この露出制御処理は、カメラの電源がＯＮの状態において所定周期で実行される処理であり、撮影者により特定の操作が行われなくても実行されるものである。
【００２６】
まず、ステップＳ１０１では、演算回路８が撮像回路７から出力される画像データに基づいて被写体輝度を取得する。次に、ステップＳ１０２では、ＣＰＵ１３が操作部１１からの出力に基づいてＡＥロック中か否かを判断し、ＡＥロック中でないと判断したらステップＳ１０３へ進み、ＡＥロック中であると判断したらステップＳ１０７へ進む。
【００２７】
ＡＥロック中でない場合、ステップＳ１０３では、ＣＰＵ１３がステップＳ１０１で取得した被写体輝度に基づいてライト１６を点灯させるか否かを判断する。このとき、ＣＰＵ１３は、ステップＳ１０１で取得され所定の重み付けで重み付け演算された被写体輝度が所定の閾値未満の場合はライト１６を点灯させると判断し、閾値以上の場合はライト１６を消灯させると判断する。
【００２８】
ライト１６を点灯させると判断とした場合はステップＳ１０４へ進み、ＣＰＵ１３は通信端子１２を介してライト１６を点灯させるようにライトＣＰＵ２１に指示する。ライトＣＰＵ２１はＣＰＵ１３からの指示に従ってライト１６を点灯させる。なお、すでにライト１６が点灯している場合には、ステップＳ１０４は省略しても構わない。また、本実施形態では、点灯時のライト１６の発光強度が固定の場合を説明するが、被写体輝度に応じてライト１６の発光強度を変更可能な構成であってもよい。その場合、ステップＳ１０４において、ＣＰＵ１３は被写体輝度に基づいて演算されたライト１６の発光強度に関する情報も撮影ライトへ出力する。そして、すでにライト１６が点灯している場合には、ライトＣＰＵ２１はＣＰＵ１３から出力された発光強度に関する情報に従ってライト１６の発光強度を変更させる。
【００２９】
一方、ライト１６を消灯させると判断した場合はステップＳ１０５へ進み、ＣＰＵ１３は通信端子１２を介してライト１６を消灯させるようにライトＣＰＵ２１に指示する。ライトＣＰＵ２１はＣＰＵ１３からの指示に従ってライト１６を消灯させる。なお、すでにライト１６が消灯している場合には、ステップＳ１０５は省略しても構わない。
【００３０】
次に、ステップＳ１０６では、ＣＰＵ１３は撮影用ライトから伝達されるライト１６の点灯状態に関する情報を不図示のメモリに記憶する。
【００３１】
ステップＳ１０２においてＡＥロック中であると判断した場合、ステップＳ１０７では、ステップＳ１０１で取得した被写体輝度に基づいてライト１６の点灯状態の制御を行わず、ライト１６の点灯状態を不図示のメモリに記憶された点灯状態に固定する。
【００３２】
これによって、ＡＥロック釦１５の押下後にフレーミングの変更を行っても、ＡＥロック釦１５が押下された時からライト１６の点灯状態が変更されることがない。
【００３３】
次に、ステップＳ１０８では、再びＣＰＵ１３が操作部１１からの出力に基づいてＡＥロック中か否かを判断し、ＡＥロック中でないと判断したらステップＳ１０９へ進み、ＡＥロック中であると判断したらステップＳ１１１へ進む。
【００３４】
ステップＳ１０９では、ＣＰＵ１３がステップＳ１０１で取得した被写体輝度に基づいて露出制御値の演算を行う。そして、ステップＳ１１０では、ＣＰＵ１３はステップＳ１０９で演算された露出制御値を不図示のメモリに記憶する。
【００３５】
ステップＳ１０８においてＡＥロック中であると判断した場合、ステップＳ１１１では、ステップＳ１０１で取得した被写体輝度に基づいて露出制御値の演算を行わず、露出制御値を不図示のメモリに記憶された露出制御値に固定する。
【００３６】
その後、ステップＳ１１２では、ＣＰＵ１３は不図示のメモリに記憶された露出制御値に基づいて露出制御を行う。
【００３７】
これによって、ＡＥロック釦１５の押下後にフレーミングの変更を行っても、ＡＥロック釦１５が押下された時から露出制御値が変更されることがない。
【００３８】
以上のように、ＡＥロック釦１５が押下された時からライト１６の点灯状態及び露出制御値が変更されることがないので、ＡＥロック状態で撮影を行う場合に、撮影者の意図を反映した照明装置の点灯制御を行うことができる。
【００３９】
図４は、上述した露出制御処理を行った場合に得られる撮影画像を示した図である。
【００４０】
図４（ａ）のような被写体Ａを撮影画面の中心にした状態でＡＥロック釦１５が押下されたとする。そのとき、比較的明るい被写体Ａの輝度に重み付けを大きくするため、撮影用ライトの点灯は不要と判断される。また、撮影画面の中心の被写体に対して適正露出となるような露出制御値が演算される。上述した露出制御処理では、このときの撮影用ライトの点灯状態及び露出制御値は記憶されてＡＥロック中は固定される。その後、図４（ｂ）のような被写体Ａが撮影画面の端に位置する状態となるようにフレーミングの変更を行う。この場合、被写体Ａに比べて十分暗い背景が撮影画面の中心になり、暗い背景の輝度に重み付けを大きくすることになるが、ＡＥロック中はライト１６の点灯状態はＡＥロック前の状態のまま固定される。
【００４１】
その結果、図４（ａ）の状態から図４（ｂ）の状態にフレーミングを変更しても、被写体Ａの露出が図４（ａ）で狙った露出のまま維持される。以上のように、上記の実施の形態においては、ＡＥロック状態では、ＡＥロックの指示がなされたときの被写体輝度に応じて決定される露出制御値及び撮影ライトの点灯状態が維持される。そのため、ＡＥロック状態でフレーミングの変更を行っても撮影者の意図を反映した照明装置の点灯制御を行うことができる。
【００４２】
（第２の実施形態）
以下、図５を参照して、本発明の第２の実施形態について説明する。本実施の形態におけるカメラ及び撮影用ライトの構成は、第１の実施形態と同様であるため詳細な説明は省略する。
【００４３】
本実施形態では、３つの制御モードを有する撮影用ライトの制御モードが、ＡＥロック中に変更された場合について説明する。なお、以下の説明では、撮影用ライトの制御モードが自動制御モードに変更された場合のライト１６の初期状態を消灯とする。これは、自動制御モードにおいてライト１６の点灯制御を行うためにカメラにより被写体輝度を測定するときにライト１６を点灯させていると、ライト１６の点灯により白とびする領域が生じて正確な被写体輝度を測定できないおそれがあるからである。
【００４４】
図５は、撮影用ライトの点灯制御処理のフローチャートを示す図である。ＡＥロック釦１５が押下されてＡＥロック状態であるときに制御モード変更スイッチ２０により撮影ライトの制御モードが変更された場合、ステップＳ６０１では、ＣＰＵ１３が変更前の制御モードを判断する。変更前の制御モードが常時点灯モード（第２の制御モード）であった場合はステップＳ６０２へ進み、自動制御モード（第１の制御モード）であった場合はステップＳ６０３へ進み、常時消灯モード（第３の制御モード）であった場合はステップＳ６０７へ進む。変更前の制御モードが常時点灯モードであった場合、変更後の制御モードは自動制御モード及び常時消灯モードのいずれか一方である。そのため、常時点灯モードにおいて点灯されていたライト１６を、制御モードの変更に伴って消灯させることになる。このとき、ＡＥロック時に点灯されていたライト１６を消灯させるため被写体輝度に変化が生じてしまい、ＡＥロック時に決定された露出制御値を維持していても、ＡＥロック時よりも露出アンダーとなってしまう。以上のことから、ＡＥロック状態となっているときに制御モードが常時点灯モードから他の制御モードに変更された場合には、ステップＳ６０２において、ＣＰＵ１３はＡＥロック状態を解除する。
【００４５】
変更前の制御モードが自動制御モードであった場合、ステップＳ６０３において、ＣＰＵ１３はどの制御モードに変更されたかを判断する。変更後の制御モードが常時点灯モードである場合はステップＳ６０４へ進み、常時消灯モードである場合はステップＳ６０５へ進む。ステップＳ６０４では、ＣＰＵ１３はライト１６が点灯中であるか否かを判断する。ライト１６が点灯中でない場合、常時点灯モードへの変更に伴ってライト１６を点灯させることになるため、ＡＥロック時に決定された露出制御値を維持していても、ＡＥロック時よりも露出オーバーとなってしまう。以上のことから、ＡＥロック状態となっているときに制御モードが自動制御モードから常時点灯モードに変更され、かつ、モード変更前にライト１６が消灯している場合には、ステップＳ６０２において、ＣＰＵ１３はＡＥロック状態を解除する。
【００４６】
一方、ステップＳ６０４において、ライト１６が点灯中であると判断された場合、常時点灯モードへの変更に伴ってライト１６の点灯状態は変化しない。以上のことから、ＡＥロック状態となっているときに制御モードが自動制御モードから常時点灯モードに変更され、かつ、モード変更前にライト１６が点灯している場合には、ステップＳ６０２において、ＣＰＵ１３はＡＥロック状態を維持する。
【００４７】
ステップＳ６０３において、変更後の制御モードが常時消灯モードであると判断された場合、ステップＳ６０５において、ＣＰＵ１３はライト１６が点灯中であるか否かを判断する。ライト１６が点灯中でない場合、常時消灯モードへの変更に伴ってライト１６の点灯状態は変化しない。以上のことから、ＡＥロック状態となっているときに制御モードが自動制御モードから常時消灯モードに変更され、かつ、モード変更前にライト１６が消灯している場合には、ステップＳ６０６において、ＣＰＵ１３はＡＥロック状態を維持する。
【００４８】
一方、ステップＳ６０５において、ライト１６が点灯中であると判断された場合、常時消灯モードへの変更に伴ってライト１６を消灯させることになるため、ＡＥロック時に決定された露出制御値を維持していても、ＡＥロック時よりも露出アンダーとなってしまう。以上のことから、ＡＥロック状態となっているときに制御モードが自動制御モードから常時消灯モードに変更され、かつ、モード変更前にライト１６が点灯している場合には、ステップＳ６０８において、ＣＰＵ１３はＡＥロック状態を解除する。
【００４９】
変更前の制御モードが常時消灯モードであった場合、ステップＳ６０７において、ＣＰＵ１３はどの制御モードに変更されたかを判断する。変更後の制御モードが自動制御モードである場合、自動制御モードへの変更に伴ってライト１６の点灯状態は変化しない。以上のことから、ＡＥロック状態となっているときに制御モードが常時消灯モードから自動制御モードに変更される場合には、ステップＳ６０６において、ＣＰＵ１３はＡＥロック状態を維持する。
【００５０】
一方、変更後の制御モードが常時点灯モードである場合、常時点灯モードへの変更に伴ってライト１６を点灯させることになるため、ＡＥロック時に決定された露出制御値を維持していても、ＡＥロック時よりも露出オーバーとなってしまう。以上のことから、ＡＥロック状態となっているときに制御モードが常時消灯モードから常時点灯モードに変更される場合には、ステップＳ６０８において、ＣＰＵ１３はＡＥロック状態を解除する。
【００５１】
以上のように、ＡＥロック中に撮影ライトの制御モードが変更された場合、モード変更に伴ってライト１６の点灯状態を変化させる必要があるときはＡＥロック状態を解除し、変化させる必要がないときはＡＥロック状態を維持している。すなわち、ＡＥロック状態において撮影用ライトの点灯状態が手動で変更された場合、ＡＥロック状態を解除している。このように、ＡＥロック中に撮影ライトの制御モードが変更された場合でも、撮影者の意図を反映した照明装置の点灯制御を行うことができる。
【００５２】
なお、上記の実施形態では、撮影用ライトの制御モードが自動制御モードに変更された場合のライト１６の初期状態を消灯としたが、初期状態を点灯としてもよい。その場合、上述した点灯制御処理と同様に、モード変更に伴ってライト１６の点灯状態を変化させる必要があるときはＡＥロック状態を解除し、必要がないときはＡＥロック状態を維持するような点灯制御処理を行えばよい。
【００５３】
（第３の実施形態）
以下、図６を参照して、本発明の第３の実施形態について説明する。本実施の形態におけるカメラ及び撮影用ライトの構成は、第１の実施形態と同様であるため詳細な説明は省略する。
【００５４】
本実施形態ではカメラが動画記録可能であって、図６では、ＡＥロック中にＡＥロック釦１５が押下された場合の処理のフローチャートを示している。なお、図６では、撮影ライトの制御モードは自動制御モードに設定されているものとする。
【００５５】
ＡＥロック釦１５が押下されてＡＥロック状態となると、ステップＳ７０１において、ＣＰＵ１３はＡＥロック釦１５が更に押下された否かを判断する。ＡＥロック釦１５が押下されたらステップＳ７０２へ進み、ＡＥロック釦１５が押下されるまでステップＳ７０１を繰り返す。
【００５６】
ＡＥロック中に更にＡＥロック釦１５が押下されると、ステップＳ７０２では、演算回路８が撮像回路７から出力される画像データに基づいて被写体輝度を取得する。その後、ステップＳ７０３において、ＣＰＵ１３は動画記録中か否かを判断し、動画記録中でなければステップＳ７０４へ進み、動画記録中であればステップＳ７０８へ進む。
【００５７】
動画記録中でない場合、固定されている露出制御値及び撮影ライトの点灯状態を更新する意図が撮影者にあるとして、再度適正な撮影ライトの点灯状態を決定する。
【００５８】
ステップＳ７０４では、ＣＰＵ１３がステップＳ７０２で取得した被写体輝度に基づいてライト１６を点灯させるか否かを判断する。このとき、ＣＰＵ１３は、ステップＳ７０２で取得され所定の重み付けで重み付け演算された被写体輝度が所定の閾値未満の場合はライト１６を点灯させると判断し、閾値以上の場合はライト１６を消灯させると判断する。
【００５９】
ライト１６を点灯させると判断とした場合はステップＳ７０５へ進み、ＣＰＵ１３は通信端子１２を介してライト１６を点灯させるようにライトＣＰＵ２１に指示する。ライトＣＰＵ２１はＣＰＵ１３からの指示に従ってライト１６を点灯させる。なお、すでにライト１６が点灯している場合には、ステップＳ７０５は省略しても構わない。また、本実施形態では、点灯時のライト１６の発光強度が固定の場合を説明するが、被写体輝度に応じてライト１６の発光強度を変更可能な構成であってもよい。その場合、ステップＳ７０５において、ＣＰＵ１３は被写体輝度に基づいて演算されたライト１６の発光強度に関する情報も撮影ライトへ出力する。そして、すでにライト１６が点灯している場合には、ライトＣＰＵ２１はＣＰＵ１３から出力された発光強度に関する情報に従ってライト１６の発光強度を変更させる。
【００６０】
一方、ライト１６を消灯させると判断した場合はステップＳ７０６へ進み、ＣＰＵ１３は通信端子１２を介してライト１６を消灯させるようにライトＣＰＵ２１に指示する。ライトＣＰＵ２１はＣＰＵ１３からの指示に従ってライト１６を消灯させる。なお、すでにライト１６が消灯している場合には、ステップＳ７０６は省略しても構わない。
【００６１】
ステップＳ７０７では、ＣＰＵ１３は撮影用ライトから伝達されるライト１６の点灯状態に関する情報を不図示のメモリに記憶する。
【００６２】
ステップＳ７０３で動画記録中であると判断した場合、動画記録中にライト１６の点灯状態を変化させると被写体輝度が急に大きく変わってしまい不自然な動画が記録されてしまうため、ＡＥロック釦１５が再度押下される前のライトの点灯状態を維持する。
【００６３】
その後、ステップＳ７０９では、ＣＰＵ１３がステップＳ７０２で取得した被写体輝度に基づいて露出制御値の演算を行う。このとき、動画記録中であっても、ＡＥロック釦１５を押下することで固定されている露出制御値を更新する意図が撮影者にあるとして、露出制御値の演算は行う。
【００６４】
そして、ステップＳ７１０では、ＣＰＵ１３はステップＳ７０９で演算された露出制御値を不図示のメモリに記憶し、ステップＳ７１１では、ＣＰＵ１３は不図示のメモリに記憶された露出制御値に基づいて露出制御を行う。
【００６５】
以上のように、ＡＥロック状態で動画記録中にＡＥロック釦１５が押下された場合に、ライト１６の点灯状態は変更せずに固定される露出制御値の更新を行うことで、動画中に急激な輝度変化を防止しながら撮影者の操作意図を反映した制御を行うことができる。
【００６６】
なお、本実施形態では、ＡＥロック中にＡＥロック釦１５が押下されることで露出制御値及び撮影用ライトの点灯状態を更新しているが、ＡＥロック釦１５とは異なる操作部への操作により露出制御値及び撮影用ライトの点灯状態を更新する構成であってもよい。
【００６７】
また、本実施形態では、動画記録中か否かに応じて撮影用ライトの点灯制御を行ったが、動画記録中か否かに限らず、カメラが動画記録の可能なモードに設定されたか否かに応じて撮影用ライトの点灯制御を行ってもよい。
【００６８】
また、上述した３つの実施形態において、ＣＰＵ１３が行った処理をライトＣＰＵ２１が行ってもよいし、ライトＣＰＵ２１が行った処理をＣＰＵ１３が行ってもよい。
【００６９】
また、上述した３つの実施形態では、ＣＰＵと演算回路を分けて記載しているが、ＣＰＵが演算回路を含んでいる構成でもよい。
【００７０】
また、上述した３つの実施形態のような撮影ライトがカメラに取り付けられたカメラシステムでなくてもよく、撮影用ライトをカメラが内蔵していてもよい。
【００７１】
また、上述した３つの実施形態で説明した処理は、それぞれ他の実施形態で説明した処理とともに実施可能である。
【００７２】
また、上述した３つの実施形態において、ＡＥロック状態は、ＡＥロック釦１５が押下されてから所定時間が経過したら解除するようにしてもよいし、操作部１１への操作により解除するようにしてもよい。ただし、上述の第３の実施形態の考え方と同様に、動画記録中はＡＥロック状態を解除する条件を満たしても撮影用ライトの点灯状態を変更しないことが望ましい。
【００７３】
以上、本発明の好ましい実施形態について説明したが、本発明はこれらの実施形態に限定されず、その要旨の範囲内で種々の変形及び変更が可能である。
【符号の説明】
【００７４】
４  絞り
５  絞り駆動部
６  撮像素子
７  撮像回路
８  演算回路
９  記録部
１１  操作部
１３  ＣＰＵ
１４  動画スイッチ
１５  ＡＥロック釦
１６  ライト
２０  制御モード変更スイッチ
２１  ライトＣＰＵ
【図１】
0005791254.tif 000002
【図２】
0005791254.tif 000003
【図３】
0005791254.tif 000004
【図４】
0005791254.tif 000005
【図５】
0005791254.tif 000006
【図６】
0005791254.tif 000007
【図７】
0005791254.tif 000008